(57)【要約】  ルアー１１は、ボディ２１と、前記ボディ２１内に形成された通路３１と、前記通路３１内を移動する複数の独立した球状重り４１と、前記複数の球状重り４１を一纏めに保持する保持部材６１と、前記保持部材６１に保持された最も前側に位置する球状重り４４１が磁力を介して付着する付着部５１と、を有する。  本発明のルアーは、通路内において複数の球状重りを一体的且つスムースに移動させることができる。
2018003354.tif 000002
【特許請求の範囲】
【請求項１】
ボディと、
前記ボディ内の前後方向に形成された通路であって、下面部を有する通路と、
前記通路内を移動する複数の球状重りであって、前記通路内に前後方向に並んで収容された複数の独立した球状重りと、
前記複数の球状重りを一纏めに保持する保持部材であって、最も前側に位置する球状重りと最も後側に位置する球状重りがそれぞれ独立して前記通路の下面部に点接触して回転するように保持する保持部材と、
前記通路に設けられた付着部であって、磁力を介して、前記保持部材に保持された最も前側に位置する球状重りが付着する付着部と、
を有するルアー。
【請求項２】
前記最も前側に位置する球状重りの前端部が、前記保持部材から露出されており、
前記球状重りの前端部が、前記付着部に付着する、請求項１に記載のルアー。
【請求項３】
前記通路が、前記ボディ内の前後方向に形成された上面部及び下面部を有し、
前記最も前側に位置する球状重りの上端部及び下端部と最も後側に位置する球状重りの上端部及び下端部がそれぞれ前記保持部材から露出されている、請求項１または２に記載のルアー。
【請求項４】
前記通路が、前記ボディ内の前後方向に形成された上面部及び下面部並びに左面部及び右面部によって構成されており、
前記最も前側に位置する球状重りの左端部及び右端部と最も後側に位置する球状重りの左端部及び右端部がそれぞれ前記保持部材から露出されている、請求項１乃至３のいずれか一項に記載のルアー。
【発明の詳細な説明】
【技術分野】
【０００１】
本発明は、球状重りが移動することによって重心が変化し得るルアーに関する。
【背景技術】
【０００２】
従来、例えば、特許文献１のようなルアーが知られている。この従来のルアーは、ボディと、前記ボディの前後方向に延びる重り移動空間である通路と、前記通路内に収容され且つ通路に沿って前後方向に移動可能な複数の球状重りと、前記通路の前方側に設けられた磁石と、を有する。
前記ルアーを投げたときには、全ての球状重りが磁石から離れてボディの後方側へ移動する。よって、重心がルアーの後方側に移り、ルアーを安定的に遠くへ飛ばすことができる。一方、ルアーが着水したときには、全ての球状重りがボディの前方側に移動し、磁石に付着して保持される。よって、重心がルアーの前方側に移り、ルアーはその後方部を左右に揺れながら遊泳するようになる。
しかしながら、複数の球状重りはそれぞれ独立しているので、着水後、磁石に付着した複数の球状重りのうち、後側の球状重りが離れる場合があるという問題点がある。これを防止するため、磁力の高い磁石を用いると、外側の針などが前記磁石に対応するボディの外面に付着するという別の問題を生じる。【０００３】
特許文献２の図１３乃至図１７には、３つの球体４６Ｂ（球状重り）を、長方形状の保持板４６Ａで一体化することが開示されている。具体的には、保持板４６Ａは、長方形状の板体であり、その板体の内部に、球体４６Ｂを嵌める円穴が３つ形成されている。この保持板４６Ａの円穴に球体４６Ｂをそれぞれ嵌め入れることによって、３つの球体４６Ｂが保持板４６Ａを介して一体化されている。他方、空間３（通路）の底部には、前後方向に延びる隙間３ｂを隔てて左右一対の底壁部３ｃ，３ｄが設けられている。底壁部３ｃ，３ｄは、傾斜面であって、球体４６Ｂの両側が接する座面である。また、空間３の上部には、前後方向に延びる長孔３ｅが形成されている。前記隙間３ｂは、通路の下面部に形成された下溝であり、前記長孔３ｅは、通路の上面部に形成された上溝である。
前記保持板４６Ａの下側の長辺部を前記隙間３ｂ（下溝）に入れて当接させ、且つ、保持板６Ａの上側の長辺部を前記長孔３ｅ（上溝）に入れて当接させることによって、前記球体４６Ｂが嵌められた保持板４６Ａが空間３に収容される。この保持板４６Ａの下側及び上側の各長辺部が隙間３ｂ（下溝）及び長孔３ｅ（上溝）に沿って摺動することによって、球体４６Ｂが嵌められた保持板４６Ａが空間３を前後方向に移動する。【０００４】
しかしながら、特許文献２のルアーは、隙間３ｂ（下溝）に入れられた保持板４６Ａの長辺部が下溝を構成する両壁部に接しながら、球体４６Ｂが嵌められた保持板４６Ａが移動するため、保持板４６Ａがスムースに動かないおそれがある上、移動時に大きな摺動音が生じる。さらに、保持板４６Ａは、その長辺部が下溝を構成する両壁部に接しながら移動するので、ルアーを使用しているうちに、保持板４６Ａの長辺部によって両壁部が削り取られていく。このため、ルアーの製品寿命が短い。
さらに、保持板４６Ａの短辺の長さが必ず球体４６Ｂの直径よりも大きくなるため、保持板４６Ａを収容するため、ルアーのボディが大きくならざるを得ない。
また、特許文献２の構造では、空間３の上下側に隙間３ｂ及び長孔３ｅを形成しなければならない。空間３の下側に隙間３ｂを形成しようとすると、隙間３ｂよりも上側に空間３が配置される。このため、ルアーの重心をできるだけ下側に位置するように設計することが困難となる。
【先行技術文献】
【特許文献】
【０００５】
【特許文献１】ＷＯ２０１４／１１９４０６
【特許文献２】特開平１１−１１３４４９号
【発明の概要】
【発明が解決しようとする課題】
【０００６】
本発明の目的は、通路内において複数の球状重りを一体的且つスムースに移動させることができ、比較的小さなボディにも適用できるルアーを提供することである。
【課題を解決するための手段】
【０００７】
本発明のルアーは、ボディと、前記ボディ内の前後方向に形成された通路であって、下面部を有する通路と、前記通路内を移動する複数の球状重りであって、前記通路内に前後方向に並んで収容された複数の独立した球状重りと、前記複数の球状重りを一纏めに保持する保持部材であって、最も前側に位置する球状重りと最も後側に位置する球状重りがそれぞれ独立して前記通路の下面部に点接触して回転するように保持する保持部材と、前記通路に設けられた付着部であって、磁力を介して、前記保持部材に保持された最も前側に位置する球状重りが付着する付着部と、を有する。【０００８】
本発明の好ましいルアーは、前記最も前側に位置する球状重りの前端部が、前記保持部材から露出されており、前記球状重りの前端部が前記付着部に付着する。
本発明の好ましいルアーは、前記通路が、前記ボディ内の前後方向に形成された上面部及び下面部を有し、前記最も前側に位置する球状重りの上端部及び下端部と最も後側に位置する球状重りの上端部及び下端部がそれぞれ前記保持部材から露出されている。
本発明の好ましいルアーは、前記通路が、前記ボディ内の前後方向に形成された上面部及び下面部並びに左面部及び右面部によって構成されており、前記最も前側に位置する球状重りの左端部及び右端部と最も後側に位置する球状重りの左端部及び右端部がそれぞれ前記保持部材から露出されている。
【発明の効果】
【０００９】
本発明のルアーは、複数の球状重りを通路内に一体的に移動させることができる。このため、本発明によれば、後側へ又は前側へ重心が確実に変化するルアーを提供できる。
さらに、本発明のルアーは、球状重りがスムースに移動し、移動時に大きな音を生じることもない。また、本発明のルアーは、ボディを比較的小さく形成することも可能である。
【図面の簡単な説明】
【００１０】
【図１】本発明の第１実施形態に係るルアーの正面図。
【図２】同ルアーの側面図。
【図３】図１のＩＩＩ−ＩＩＩ線で切断した横断面図。ただし、球状重り、釣り針及び連結部は断面で表していない（全ての断面図において同様）。
【図４】図２のＩＶ−ＩＶ線で切断した縦断面図。
【図５】図３のＶ−Ｖ’部を拡大した拡大横断面図。
【図６】保持部材とそれに保持された複数の球状重り（一体化重り）を示す斜視図。
【図７】同一体化重りの正面図。
【図８】同一体化重りの側面図。
【図９】図７のＩＸ−ＩＸ線で切断した横断面図。
【図１０】図８のＸ−Ｘ線で切断した縦断面図。
【図１１】ルアーの分解斜視図。
【図１２】ルアーの使用状態を示す横断面図であって、球状重り（一体化重り）が通路の後側に移動したときの横断面図。
【図１３】ルアーの使用状態を示す横断面図であって、球状重り（一体化重り）が通路の前側に移動したときの横断面図。
【図１４】ルアーの使用状態を示す縦断面図であって、ルアーの上側を地球側に向けているときの縦断面図。
【図１５】ルアーの使用状態を示す縦断面図であって、ルアーの左側を地球側に向けているときの縦断面図。
【図１６】第２実施形態の分割式の保持部材であって、それを分割した状態を示す側面図。
【図１７】第２実施形態の保持部材及びそれに保持された複数の球状重り（一体化重り）を示す側面図。
【図１８】第３実施形態の保持部材及びそれに保持された複数の球状重り（一体化重り）を示す斜視図。
【図１９】同第３実施形態の一体化重りを下側から見た斜視図。
【図２０】同第３実施形態の一体化重りの正面図。
【図２１】同第３実施形態の一体化重りの側面図。
【図２２】同一体化重りが通路に収容された第３実施形態のルアーの拡大横断面図。ただし、保持部材は断面で表していない（図２３及び図３９において同様）。
【図２３】同第３実施形態のルアーの拡大縦断面図。
【図２４】第４実施形態の第１例の保持部材及びそれに保持された複数の球状重り（一体化重り）を示す側面図。
【図２５】図２４のＸＸＶ−ＸＸＶ線で切断した縦断面図。
【図２６】第４実施形態の第２例の一体化重りを示す側面図。
【図２７】図２６のＸＸＶＩＩ−ＸＸＶＩＩ線で切断した縦断面図。
【図２８】第４実施形態の第３例の一体化重りを示す側面図。
【図２９】図２８のＸＸＩＸ−ＸＸＩＸ線で切断した横断面図。
【図３０】第５実施形態に係るルアーの拡大横断面図。
【図３１】第５実施形態の保持部材及びそれに保持された複数の球状重り（一体化重り）を示す側面図。
【図３２】第６実施形態の保持部材及びそれに保持された複数の球状重り（一体化重り）を示す横断面図。
【図３３】第７実施形態の第１例の保持部材及びそれに保持された複数の球状重り（一体化重り）を示す斜視図。
【図３４】同第１例の一体化重りの分解斜視図。
【図３５】第７実施形態の第２例の一体化重りを示す斜視図。
【図３６】同第２例の一体化重りの分解斜視図。
【図３７】第７実施形態の第３例の一体化重りを示す斜視図。
【図３８】同第３例の一体化重りの分解斜視図。
【図３９】一体化重りが湾曲した通路に収容された第７実施形態のルアーの横断面図。
【図４０】第８実施形態の一体化重りの分解斜視図。
【図４１】同一体化重りの斜視図。
【図４２】第９実施形態のルアーの拡大横断面図。
【図４３】第１０実施形態の一体化重りの横断面図。
【発明を実施するための形態】
【００１１】
以下、本発明について、図面を参照しつつ説明する。
本明細書において、方向を示す用語として、前後、左右、上下を使用する。前側は、ルアーの使用時にライン（ミチ糸）に連結され、ラインによってルアーが引っ張られる側をいい、後側は、その反対側をいう。左側は、ルアーを前側から見て左側をいい、右側は、その反対側をいう。上側は、ルアーを前側から見て上側をいい、下側は、その反対側をいう。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１２】
［第１実施形態］
図１は、本発明のルアーを前側から見た正面図であり、図２は、図１のルアーを右側から見た側面図であり、図３は、左右方向で切断した断面図であり、図４は、左右方向中央部において前後方向に切断した断面図であり、図５は、要部拡大断面図である。
【００１３】
図１乃至図５において、ルアー１１は、ボディ２１と、前記ボディ２１の内部に形成された通路３１と、前記通路３１内に収容された複数の球状重り４１と、前記通路３１に設けられた付着部５１と、前記複数の球状重り４１を一纏めに保持する保持部材６１と、を有する。保持部材６１に保持された複数の球状重り４１は、個々にばらけて動くことなく、一緒に通路３１内を移動する。以下、保持部材６１とその保持部材６１に保持された複数の球状重り４１とを併せて「一体化重り」と記す場合がある。
本発明のルアー１１は、通路３１を有するボディ２１、付着部５１及び一体化重り７１（保持部材６１と複数の球状重り４１）以外に、他の構成要素を有していてもよい。
以下、各構成要素ごとに分けながら、本発明のルアー１１の詳細を説明する。
【００１４】
＜ボディ及び通路について＞
図示したボディ２１においては、その外形が小魚を真似た形状とされている。もっとも、ボディ２１の外形は、小魚に似た形状に限られず、海老を真似た形状、カエルを真似た形状などとしてもよい。また、ボディ２１は、小魚などの自然物を真似た形状に限られず、任意の形状に形成してもよい。
さらに、ボディ２１の外面に、無数の小さな窪み（ディンプル）が形成されていてもよい（図示せず）。ボディ２１の表面が無数の小さな窪みを有することにより、ルアー１１を投げたときに、ルアー１１が空気抵抗を受け難くなる。従って、より遠くに投げ飛ばすことができるルアー１１を提供できる。
【００１５】
ボディ２１は、それ自体、水（淡水及び海水を含む）に浮く部材であることが好ましい。
ボディ２１の比重は、例えば、１未満であり、好ましくは０．９以下であり、より好ましくは０．８以下であり、特に好ましくは０．６以下である。
【００１６】
前記ボディ２１は、非磁性材料で形成されている。
ここで、本明細書において、非磁性材料は、それ自身磁性を帯びておらず且つ磁石を近づけても磁性を帯びない材料をいう。換言すると、非磁性材料は、磁石に付かない材料である。磁性材料は、磁石を近づけると磁性を帯びる性質を有する材料（つまり、磁石に付く材料）をいう。磁石は、外部から磁場や電流の供給を受けずに磁界を有する部材（磁性材料を引き付ける性質を有する部材）をいう。なお、前記磁性材料は、磁石を含まない。
前記非磁性材料は、特に限定されないが、例えば、硬質合成樹脂、軟質合成樹脂、発泡合成樹脂、木、実質的に磁性を帯びない金属、このような金属を含む合金、このような金属を含む化合物、及びこれらの素材を２種以上組み合わせた複合材料などが挙げられる。前記実質的に磁性を帯びない金属としては、例えば、鉛、タングステンなどが挙げられる。
また、前記磁性材料は、特に限定されないが、例えば、鉄、ニッケル、コバルトなどの鉄族金属、鉄族金属を含む合金、鉄族金属の酸化物、及び非磁性金属に鉄族金属などの導電性材料を混合した金属又は合金などが挙げられる。前記非磁性金属に鉄族金属などの導電性材料を混合した金属又は合金としては、例えば、タングステンなどの非磁性金属に鉄を混合した合金などが挙げられる。
また、前記磁石は、特に限定されないが、例えば、フェライト磁石、アルニコ磁石、磁石鋼、樹脂磁石、ゴム磁石などが挙げられる。
【００１７】
ボディ２１の形成材料は、特に限定されず、例えば、ＡＢＳ樹脂などの硬質合成樹脂、ウレタンなどの軟質合成樹脂、発泡ウレタンなどの発泡合成樹脂、木、及び２以上の素材を組み合わせた複合材料などが挙げられる。これらの形成材料は、上述の通り、非磁性材料である。
なお、ボディ２１は、比重が１を超える形成材料で形成されていてもよく、或いは、比重が１未満の形成材料で形成されていてもよい。
ボディ２１は、中空状であってもよいし、中実状であってもよい。なお、中実状のボディ２１とは、その内部に空洞部を有しないボディ２１である。
好ましくは、ボディ２１は、図３乃至図５に示すように、その内部に空洞部２１１を有する（つまり、中空状である）。内部に空洞部２１１を形成することにより、比重が１を超える形成材料（例えば、ＡＢＳ樹脂など）を用いた場合でも、比重が１未満のボディ２１を作製できる。中空状のボディ２１は、例えば、ＡＢＳ樹脂などの硬質合成樹脂で形成される。
【００１８】
さらに、前記ボディ２１の内部には、通路３１が形成されている。前記通路３１は、球状重り４１が移動する空間である。前記通路３１は、ボディ２１の前後方向に延びて形成されている。好ましくは、通路３１は、ボディ２１の前後方向に直線状に延びている。
前記通路３１は、ボディ２１の内部に形成された下面部３１Ｕを含む複数の面部によって囲われた空洞からなる。これらの面部は、ボディ２１と同様な非磁性材料から形成されている。例えば、通路３１を構成する面部の数は、特に限定されず、例えば、３つ〜８つであり、好ましくは、４つ〜６つである。
具体的には、通路３１は、ボディ２１の前後方向に延びる下面部３１Ｕと、前記下面部３１Ｕに対向して形成され且つボディ２１の前後方向に延びる上面部３１Ｔと、前記下面部３１Ｕと上面部３１Ｔの間に形成され且つボディ２１の前後方向に延びる左面部３１Ｌと、前記左面部３１Ｌに対向して形成され且つボディ２１の前後方向に延びる右面部３１Ｒと、から形成されている。この通路３１は、４つの面部３１Ｕ，３１Ｔ，３１Ｌ，３１Ｒから構成されている。つまり、図示例の通路３１は、前記４つの面部で囲われた空間である。
下面部３１Ｕ及び上面部３１Ｔは、例えば、全体的に平坦な面からなる。左面部３１Ｌ及び右面部３１Ｒは、内側に突出した長状突起３１１の頂面からなる。前記長状突起の頂面は、平坦な面を有する円弧面からなる。このような長状突起は、一般にレールとも呼ばれている。なお、特に図示しないが、下面部３１Ｕ及び上面部３１Ｔの少なくとも一方が、長状突起の頂面から構成されていてもよく、或いは、左面部３１Ｌ及び右面部３１Ｒの少なくとも一方が、平坦な面から構成されていてもよい。
通路３１内に収容された球状重り４１は、主として下面部３１Ｕに接しながら転動し、通路３１の前後方向に移動可能である。
これら各面部は、通常、ボディ２１と一体的に成形される。つまり、各面部とボディ２１は、同一の材料から形成される。もっとも、ボディ２１とは別個独立に各面部を成形し、この各面部をボディ２１の内部に接合することによって、上記通路３１を形成してもよい。
【００１９】
前記ボディ２１は、通常、複数の成形品を接合することによって作製される。例えば、ボディ２１は、図１１に示すように、左右対称の一対の半割成形品２１９，２１９を接合することによって形成されている。このような一対の半割成形品２１９，２１９を接合して得られるボディ２１は、その内部に空洞部２１１及び通路３１を容易に形成できるので好ましい。
【００２０】
また、通路３１の後方には、クッション部９１が設けられている。クッション部９１は、球状重り４１が通路３１の後側に移動した際に、球状重り４１の追突衝撃を緩和する部材である。かかるクッション部９１が設けられていることにより、球状重り４１がボディ２１に直接的に衝突せず、衝撃音を緩和でき且つボディ２１の破損を防止できる。
クッション部９１は、通路３１の後方に固定されている。クッション部９１としては、例えば、管状のゴム材などを用いることができる。
なお、ボディ２１の前側の外部には、ラインを締結するための環状のライン連結部９２が突出されている。ボディ２１の後側の外部には、釣り針９５を係止するための環状の釣り針連結部９３が突出されている。ボディ２１の下側の外部にも、同様の環状の釣り針連結部９４が突出されている。フック状の釣り針９５（例えばトレブルフックなど）が、前記釣り針連結部９３，９４にそれぞれ係止されている。
また、特に図示しないが、ボディ２１の前下側などに、公知の水流抵抗板を設けてもよい。また、特に図示しないが、ボディ２１の外部に、鰭（ヒレ）のように揺れ動く部材を設けてもよい。
【００２１】
＜付着部について＞
付着部５１は、通路３１の一部分に設けられ、好ましくは、通路３１の前側に設けられている。詳しくは、付着部５１は、図示のように、通路３１の前端部に設けられている。
前記付着部５１は、球状重り４１を引き寄せ、通路３１の前側に複数の球状重り４１を保持する部材である。
球状重り４１が磁性材料から形成されている本実施形態においては、付着部５１は、磁石（永久磁石）から形成されている。付着部５１は、樹脂磁石又はゴム磁石などで形成されていてもよい。前記樹脂磁石は、金属などが混合された樹脂を成形することにより得られる磁石であり、前記ゴム磁石は、金属などが混合されたゴムを成形することにより得られる磁石である。前記付着部５１がゴム磁石からなる場合、付着部５１に球状重り４１が当たったときの衝撃及び衝撃音を緩和できる。
付着部５１の形状は、特に限定されず、例えば、その形状としては、図示のような円柱状などの柱状、特に図示しないが、所定厚みの板状などが挙げられる。
図３及び図５に示すように、ボディ２１の内部であって通路３１の前方部には、付着部５１を収納するためのケース部２１２が形成されている。このケース部２１２に付着部５１を嵌め入れることにより、付着部５１がボディ２１に固定されている。
ケース部２１２には、付着部５１の一部分を露出させるために、開口部２１３が形成されている。ケース部２１２に嵌め入れられた付着部５１の一部分は、前記開口部２１３を介して、通路３１側に露出されている。
【００２２】
＜保持部材及び球状重りについて＞
図６乃至図１０にも示すように、複数の球状重り４１は、それぞれ略球状を成している。本明細書において、球状重り４１の立体形状は、真球状のほか、前後方向に転動できる樽状などの楕円球状などを含む。図示例の球状重り４１は、真球状である。
球状重り４１は、磁性材料から形成され、好ましくは比重の大きい磁性材料から形成される。球状重り４１の比重は、ボディ２１に比して十分に大きければ特に限定されないが、好ましくは６以上であり、より好ましくは７以上である。
球状重り４１を形成する磁性材料としては、上述のようなものが挙げられる。特に、鉄族金属、鉄族金属を含む合金、及び、非磁性金属に鉄族金属などの導電性材料を混合した金属又は合金（鉛やタングステンに鉄を混合した合金など）は、通常、比重が６以上であり且つ強磁性を有するので、球状重り４１の形成材料として好ましい。例えば、球状重り４１は、鋼球からなる。
球状重り４１の直径は、特に限定されず、ボディ２１の大きさに応じて適宜設定される。球状重り４１の直径は、例えば、２ｍｍ〜１５ｍｍ程度であり、好ましくは、３ｍｍ〜１０ｍｍ程度である。
【００２３】
通路３１内に収容される球状重り４１の数は、複数（２つ以上）であれば特に限定されないが、例えば、２つ〜６つであり、好ましくは、２つ〜５つであり、より好ましくは、２つ〜４つである。
図示例では、３つの球状重り４１を収容した場合を例示している。複数の球状重り４１は、同じ材料で形成されていてもよく、或いは、それぞれ独立して、異なる材料で形成されていてもよい。複数の球状重り４１は、同形同大でもよく、或いは、それぞれ独立して直径が異なる球体であってもよい。好ましくは、最も前側の球状重り４１１と最も後側の球状重り４１３は、同形同大であり、より好ましくは、図示例のように、全ての球状重り４１は、同形同大である。
【００２４】
各球状重り４１は、保持部材６１に保持された状態で、通路３１内に収容されている。各球状重り４１は、通路３１の前後方向に１列に並んで通路３１内に収容されている。複数の球状重り４１は、保持部材６１に保持された状態で通路３１内を前後方向に移動可能である。つまり、一体化重り７１は、通路３１内に収容され、その通路３１内を前後方向に移動可能である。
保持部材６１は、独立した複数の球状重り４１を一纏めに保持する。
保持部材６１は、磁性材料で形成されていてもよく、或いは、非磁性材料で形成されていてもよい。保持部材６１を形成する磁性材料としては、上記球状重りで例示したようなものが挙げられる。好ましくは、保持部材６１は、非磁性材料で形成される。保持部材６１を形成する非磁性材料としては、上記説明したようなもの、例えば、合成樹脂、発泡樹脂、実質的に磁性を帯びない金属、複合材料などが挙げられる。例えば、保持部材６１を実質的に磁性を帯びない金属（例えば、鉛、タングステンなど）で形成することにより、一体化重り（球状重り４１と保持部材６１）の重量が大きくなるので好ましい。
一方、合成樹脂は成形容易なので、非磁性材料として硬質合成樹脂を用いることにより、保持部材６１を容易に作製できる。硬質合成樹脂としては、上述したＡＢＳ樹脂のほか、ポリプロピレンなどのオレフィン樹脂、ポリエステル樹脂、ポリ塩化ビニル樹脂、ポリカーボネート樹脂、ポリスチレン樹脂などが挙げられる。
【００２５】
保持部材６１は、最も前側に位置する球状重り４１１と最も後側に位置する球状重り４１３がそれぞれ独立して前記通路３１の下面部３１Ｕに点接触して回転するように、複数の球状重り４１を保持している。
図示例では、全ての球状重り４１がそれぞれ独立して前記通路３１の下面部３１Ｕに点接触して回転するように、保持部材６１が複数の球状重り４１を保持している。
【００２６】
ここで、最も前側に位置する球状重り４１１は、複数の球状重り４１が通路３１内に収容された状態において、最も前側に位置する球状重り４１をいい、最も後側に位置する球状重り４１３は、複数の球状重り４１が通路３１内に収容された状態において、最も後側に位置する球状重り４１をいう。図３に示すように、３つの球状重り４１が通路３１に収容される場合には、紙面左側の球状重り４１が最も前側に位置する球状重り４１１であり、紙面右側の球状重り４１が最も後側に位置する球状重り４１３であり、真ん中の球状重り４１が中間に位置する球状重り４１２である。
なお、特に図示しないが、４つ以上の球状重り４１が通路３１に収容される場合には、中間に位置する球状重りは、２つ以上存在するようになる。また、２つの球状重り４１が通路３１に収容される場合には、中間に位置する球状重りは存在せず、最も前側に位置する球状重りと最も後側に位置する球状重りのみからなる。
以下、最も前側に位置する球状重り４１１を「最前の球状重り」、最も後側に位置する球状重り４１３を「最後の球状重り」、中間に位置する球状重り４１２を「中間の球状重り」と記す場合がある。
【００２７】
具体的には、保持部材６１は、最前の球状重り４１１の前端部４１１Ｆ、下端部４１１Ｕ、上端部４１１Ｔ、左端部４１１Ｌ及び右端部４１１Ｒを露出させた状態で、最前の球状重り４１１を保持している。また、保持部材６１は、最後の球状重り４１３の後端部４１３Ｂ、下端部４１３Ｕ、上端部４１３Ｔ、左端部４１３Ｌ及び右端部４１３Ｒを露出させた状態で、最後の球状重り４１３を保持している。さらに、保持部材６１は、中間の球状重り４１２の下端部４１２Ｕ、上端部４１２Ｔ、左端部４１２Ｌ及び右端部４１２Ｒを露出させた状態で、中間の球状重り４１２を保持している。
換言すると、最前の球状重り４１１の前端部４１１Ｆ、下端部４１１Ｕ、上端部４１１Ｔ、左端部４１１Ｌ及び右端部４１１Ｒは、保持部材６１の前外面６１Ｆ、下外面６１Ｕ、上外面６１Ｔ、左外面６１Ｌ及び右外面６１Ｒよりも外側に位置している。また、最後の球状重り４１３の後端部４１３Ｂ、下端部４１３Ｕ、上端部４１３Ｔ、左端部４１３Ｌ及び右端部４１３Ｒは、保持部材６１の後外面６１Ｂ、下外面６１Ｕ、上外面６１Ｔ、左外面６１Ｌ及び右外面６１Ｒよりも外側に位置している。中間の球状重り４１２の下端部４１２Ｕ、上端部４１２Ｔ、左端部４１２Ｌ及び右端部４１２Ｒは、保持部材６１の下外面６１Ｕ、上外面６１Ｔ、左外面６１Ｌ及び右外面６１Ｒよりも外側に位置している。従って、全ての球状重り４１の下端部、上端部、左端部及び右端部は、保持部材６１の下外面６１Ｕ、上外面６１Ｔ、左外面６１Ｌ及び右外面６１Ｒよりも外側に位置している。
なお、球状重り４１の前端部、後端部、下端部、上端部、左端部及び右端部は、球状重り４１の表面と直交する３つの直線（Ｘ軸、Ｙ軸、Ｚ軸）との交点である。前記３つの直線（Ｘ軸、Ｙ軸、Ｚ軸）は、観念上、球体の中心を通り且つその中心で互いに直交する３つの直線をいう。
【００２８】
保持部材６１は、略立方体の内部に球状重り４１を回転自在に収容する空洞が形成された立方格子部を有し、球状重り４１の数と同数の前記立方格子部が連なって構成されている。前記空洞は、立方格子部の内面６１１で囲われた空間である。球状重り４１は、その内面６１１に僅かな隙間を有した状態で前記空洞内に収容されている。なお、保持部材６１は、図示例のように、２つ（複数）の部品から構成されていてもよく、或いは、１つの部品から構成されていてもよい。
各立方格子部の左右方向の長さ及び上下方向の長さは、それぞれ球状重り４１の直径よりも小さい。また、中間の球状重り４１２を収容する立方格子部の前後方向の長さは、その球状重り４１の直径よりも若干大きい。最前の球状重り４１１、中間の球状重り４１２及び最後の球状重り４１３は、互いに僅かな隙間を有した状態で保持部材６１の各立方格子部内に収容されている。つまり、保持部材６１は、隣接する球状重り４１が互いに離れる程度に隙間を有した状態で、各球状重り４１を保持している。
従って、保持部材６１に保持された各球状重り４１は、保持部材６１内でそれぞれ独立して回転可能である。
【００２９】
上記一体化重り７１を通路３１に収容することにより、ルアー１１が構成される。
各球状重り４１の下端部は保持部材６１から露出されているので、通路３１に入れられた一体化重り７１は、その下端部が通路３１の下面部３１Ｕに点接触する。一体化重り７１は、各球状重り４１の下端部が通路３１の下面部３１Ｕに接しながら回転し、通路３１の前後方向に移動可能である。本実施形態では、最前の球状重り４１１の下端部４１１Ｕ、中間の球状重り４１２の下端部４１２Ｕ及び最後の球状重り４１３の下端部４１３Ｕが、通路３１の下面部３１Ｕに点接触し、それらの球状重り４１１，４１２，４１３がそれぞれ下面部３１Ｕに沿って回転しながら転動する。
【００３０】
また、各球状重り４１の上端部は保持部材６１から露出されているので、通路３１に入れられた一体化重り７１は、その上端部が通路３１の上面部３１Ｔに点接触する。従って、一体化重り７１は、各球状重り４１の上端部が通路３１の上面部３１Ｔに接しながら回転し、通路３１の前後方向に移動可能である。本実施形態では、最前の球状重り４１１の上端部４１１Ｔ、中間の球状重り４１２の上端部４１２Ｔ及び最後の球状重り４１３の上端部４１３Ｔが、通路３１の上面部３１Ｔに点接触し、それらの球状重り４１１，４１２，４１３がそれぞれ上面部３１Ｔに沿って回転しながら転動可能である。
【００３１】
さらに、各球状重り４１の左端部及び右端部は保持部材６１から露出されているので、通路３１に入れられた一体化重り７１は、その左端部及び右端部が通路３１の左面部３１Ｌ及び右面部３１Ｒに点接触する。従って、一体化重り７１は、各球状重り４１の左端部及び／又は右端部が通路３１の左面部３１Ｌ及び／又は右面部３１Ｒに接しながら回転し、通路３１の前後方向に移動可能である。本実施形態では、最前の球状重り４１１の左端部４１１Ｌ、中間の球状重り４１２の左端部４１２Ｌ及び最後の球状重り４１３の左端部４１３Ｌが、通路３１の左面部３１Ｌに点接触し、それらの球状重り４１１，４１２，４１３がそれぞれ左面部３１Ｌに沿って回転しながら転動可能である。また、最前の球状重り４１１の右端部４１１Ｒ、中間の球状重り４１２の右端部４１２Ｒ及び最後の球状重り４１３の右端部４１３Ｒが、通路３１の右面部３１Ｒに点接触し、それらの球状重り４１１，４１２，４１３がそれぞれ右面部３１Ｒに沿って回転しながら転動可能である。
【００３２】
最前の球状重り４１１の前端部４１１Ｆは保持部材６１から露出されているので、通路３１に入れられた一体化重り７１は、その前端部４１１Ｆが付着部５１に付着する。さらに、最後の球状重り４１３の後端部４１３Ｂは保持部材６１から露出されているので、通路３１に入れられた一体化重り７１は、その後端部４１３Ｂがクッション部９１に接触する。
【００３３】
図１１は、本発明のルアー１１を分解した斜視図である。
図１１において、符号２１９は、ボディ２１を構成する一対の半割成形品を示し、符号６１９は、保持部材６１を構成する部品である一対の半割成形品を示す。
複数の球状重り４１を挟むようにして、一対の半割成形品６１９を、接着剤などを用いて接合することにより、図６乃至図１０に示すような一体化重り７１を得ることができる。
また、一体化重り７１、クッション部９１、ライン連結部９２及び釣り針連結部９３を挟むようにして、一対の半割成形品２１９を接合することにより、図１乃至図５に示すようなルアー１１を得ることができる。
【００３４】
＜ルアーの使用例について＞
上記ルアー１１は、ライン連結部９２にライン９６を結んで使用される。ルアー１１を投げたときには、慣性によって球状重り４１が通路３１の後側に移動する。本発明のルアー１１は、複数の球状重り４１が保持部材６１に一纏めに保持されているので、全ての球状重り４１（一体化重り７１）が付着部５１から離れて後側へと確実に移動する（図１２参照）。後側に移動した一体化重り７１は、最後の球状重り４１３の後端部４１３Ｂがクッション部９１に接する。
全ての球状重り４１が一纏めになって通路３１の後側に移動するので、ルアー１１が安定的に飛行し、ルアー１１の後方部を先頭にしてルアー１１を遠くに飛ばすことができる。さらに、このように球状重り４１が一纏めになって通路３１の後側に保たれたルアーは、好ましい姿勢で着水するようになる。
【００３５】
一方、ルアー１１が水中に入った後には、各球状重り４１がボディ２１の前側に移動する。複数の球状重り４１が保持部材６１に一纏めに保持されているので、全ての球状重り４１（一体化重り７１）がクッション部９１から離れて前側へと確実に移動する。移動した一体化重り７１は、磁力によって、最前の球状重り４１１が付着部５１に付着して保持される（図１３参照）。
全ての球状重り４１が付着部５１に保持されることによって、ルアー１１の重心が前方寄りとなる。この状態のルアー１１を引っ張ると、後方部を左右に揺れながらルアー１１が遊泳する。
【００３６】
ルアーの着水後、通常、釣り人は釣り竿を操ってルアーに不規則な動きを付与する。特許文献１に記載のような、球状重りが別個独立して通路に収容されているルアーにあっては、前記のようにルアーが不規則に動いた際に、後側の球状重りが離れるおそれがある。
この点、本発明のルアー１１は、各球状重り４１が保持部材６１に保持されており、球状重り４１がばらばらに移動することなく、全ての球状重り４１が一体的に移動する。このため、一部の球状重りが単独で後側又は前側に移動することがなく、遠投時には全ての球状重りが通路３１の後側に保持され、遊泳時には全ての球状重りが通路３１の前側に保持される。
さらに、保持部材６１に保持された各球状重り４１の下端部４１１Ｕ，４１２Ｕ，４１３Ｕが通路３１の下面部３１Ｕに接触しながら、各球状重り４１が回転するので、一体化重り７１が通路３１内をスムースに移動する。また、各球状重り４１と通路３１の下面部３１Ｕとの接触面積が極めて小さいので（各球状重り４１の下端部４１１Ｕ，４１２Ｕ，４１３Ｕが下面部３１Ｕに点接触して球状重り４１が回転するので）、一体化重り７１の移動時に大きな音を生じることもない。
特許文献２に記載のような、保持板の長辺部を通路の下溝に挿入して保持板を移動させる構造のルアーでは、保持板と下溝を構成する両壁部との抵抗が大きく、スムースに動かず且つ大きな音が生じ得る。
本発明によれば、球状重り４１が通路３１の下面部３１Ｕに点接触して回転するので、一体化重り７１の移動時の抵抗が小さい。
さらに、本発明のルアー１１は、特許文献２のルアーのように、通路内に下溝や上溝を形成する必要性がない。このため、比較的小さなボディ２１でも上記効果を奏するルアー１１を提供できる。
加えて、本発明のルアー１１は、各球状重り４１が移動時に左右方向にぶれ難く、安定的に移動する。
【００３７】
また、本実施形態のように、少なくとも最前の球状重り４１１及び最後の球状重り４１３の上端部４１１Ｔ，４１３Ｔが保持部材６１から露出されている場合には、これらの球状重り４１が通路３１の上面部３１Ｔに接触しながら回転し得る。このため、図１４に示すように、ルアー１１を投げたとき又はルアー１１が着水したとき、ルアー１１の上側が地球側に向いている状態でも、少なくとも最前の球状重り４１１及び最後の球状重り４１３の上端部４１１Ｔ，４１３Ｔが通路３１に上面部３１Ｔに接触して回転する。従って、ルアー１１の上側が地球側に向いている状態でも、一体化重り７１が通路３１内をスムースに移動する。
さらに、本実施形態のように、少なくとも最前の球状重り４１１及び最後の球状重り４１３の左端部４１１Ｌ，４１３Ｌ及び右端部４１１Ｒ，４１３Ｒが保持部材６１から露出されている場合には、これらの球状重り４１が通路３１の左面部３１Ｌ及び右面部３１Ｒに接触しながら回転し得る。このため、図１５に示すように、ルアー１１を投げたとき又はルアー１１が着水したとき、ルアー１１の左側が地球側に向いている状態でも、少なくとも最前の球状重り４１１及び最後の球状重り４１３の左端部４１１Ｌ，４１３Ｌが通路３１に左面部３１Ｌに接触して回転する。従って、ルアー１１の左側が地球側に向いている状態でも、一体化重り７１が通路３１内をスムースに移動する。同様に、ルアー１１の右側が地球側に向いている状態でも（図示せず）、一体化重り７１が通路３１内をスムースに移動する。
【００３８】
本発明のルアーは、上記第１実施形態に示したような構造に限られず、様々な構造に変更できる。以下、上記第１実施形態と異なる構成を主として説明し、上記第１実施形態と同様の構成については、その説明を省略し、用語を援用する場合がある。
【００３９】
［第２実施形態］
図１６及び図１７に示すように、保持部材６２が、前後方向に複数に分割可能な分割式であってもよい。
具体的には、図１６に示すように、保持部材６２は、前後方向に連結可能な複数（図示例では３つ）の分割体６２１，６２２，６２３から構成されている。この分割体６２１，６２２，６２３は、それぞれ、その内部に１つの球状重り４２を回転可能に保持している。また、球状重り４２の前端部４２Ｆ、上端部４２Ｔ及び下端部４２Ｕを露出させた状態で、球状重り４２は、それぞれ分割体６２１，６２２，６２３に保持されている。各分割体６２１，６２２，６２３の後方部には、差し込み用の凸部６２４が形成され、且つ、各分割体６２１，６２２，６２３の前方部には、凹部６２５が形成されている。
球状重り４２を保持した複数の分割体６２１，６２２，６２３について、凸部６２４を凹部６２５に差し込み、接着剤などで固定することにより、複数の球状重り４２を一纏めに保持する保持部材６２が構成される（図１７参照）。
第２実施形態の保持部材６２は、球状重り４２を保持した分割体６２１，６２２，６２３を連結することによって構成される。このため、球状重り４２の保持数を容易に設定できる。例えば、２つの球状重り４２を保持した保持部材６２を形成したい場合には、分割体６２１，６２２，６２３を２つ連結すればよく、或いは、４つの球状重り４２を保持した保持部材６２を形成したい場合には、分割体６２１，６２２，６２３を４つ連結すればよい。よって、一体化重り７２の球状重り４２の数を容易に設定できる。
なお、球状重り４２の後端部が露出するように分割体６２１，６２２，６２３が形成されていてもよい（図示せず）。
第２実施形態の一体化重り７２（保持部材６２とそれに保持された複数の球状重り４２）も、第１実施形態と同様に、複数の球状重り４２が前後方向に並ぶようにして、通路内に収容される。
第２実施形態のルアーも、一体化重り７２がスムースに通路内を移動するなどの第１実施形態と同様の効果を奏する。
【００４０】
［第３実施形態］
図１８乃至図２１に示すように、保持部材６３は、内部に球状重り４３を回転自在に収容する空洞が形成された枠体部を有する。保持部材６３は、複数の球状重り４３（図示例では、２つの球状重り４３）を収容可能である。保持部材６３の下方には、図１９に示すように、球状重り４３の直径よりも僅かに大きい開口６３１が形成されている。この開口６３１から保持部材６３内に球状重り４３を出し入れできる。保持部材６３は、最前の球状重り４３１の前端部４３１Ｆ、下端部４３１Ｕ、上端部４３１Ｔ、左端部４３１Ｌ及び右端部４３１Ｒを露出させた状態で、最前の球状重り４３１を保持している。保持部材６３は、最後の球状重り４３３の後端部４３３Ｂ、下端部４３３Ｕ、上端部４３３Ｔ、左端部４３３Ｌ及び右端部４３３Ｒを露出させた状態で、最後の球状重り４３３を保持している。換言すると、最前の球状重り４３１の前端部４３１Ｆ、下端部４３１Ｕ、上端部４３１Ｔ、左端部４３１Ｌ及び右端部４３１Ｒは、保持部材６３の前外面６３Ｆ、下外面６３Ｕ、上外面６３Ｔ、左外面６３Ｌ及び右外面６３Ｒよりも外側に位置している。また、最後の球状重り４３３の後端部４３３Ｂ、下端部４３３Ｕ、上端部４３３Ｔ、左端部４３３Ｌ及び右端部４３３Ｒは、保持部材６３の後外面６３Ｂ、下外面６３Ｕ、上外面６３Ｔ、左外面６３Ｌ及び右外面６３Ｒよりも外側に位置している。
ただし、保持部材６３の下方に球状重り４３の直径よりも大きい開口６３１を形成するため、保持部材６３の下前枠６３２、下後枠６３３、下左枠６３４及び下右枠６３５は、前後左右にそれぞれ外側へ少し膨らんでいる。
【００４１】
第３実施形態の一体化重り７３（保持部材６３とそれに保持された複数の球状重り４３）も、第１実施形態と同様に、複数の球状重り４３が前後方向に並ぶようにして、通路３１内に収容される。ただし、一体化重り７３が付着部５１に付着する際に保持部材６３の下枠が邪魔をしないように、ケース部２１２には、保持部材６３の下前枠６３２が収まる開口２１５が形成されている（図２２参照）。
第３実施形態のルアー１３も、一体化重り７３がスムースに通路３１内を移動するなどの第１実施形態と同様の効果を奏する。
第３実施形態の保持部材６３は、球状重り４３の出し入れを容易に行える。
【００４２】
［第４実施形態］
上記各実施形態の一体化重りは、各球状重りの左端部及び右端部が保持部材から露出されているが、例えば、図２４及び図２５に示すように、一体化重り７４は、各球状重り４４の左端部４４２Ｌ及び右端部４４２Ｒが保持部材６４の左外面６４Ｌ及び右外面６４Ｒで覆われていてもよい。この図示例では、最前の球状重り４４１の前端部４４１Ｆ、下端部４４１Ｕ及び上端部４４１Ｔは、保持部材６４の前外面６４Ｆ、下外面６４Ｕ及び上外面６４Ｔから露出され、最後の球状重り４４３の後端部４４３Ｂ、下端部４４３Ｕ及び上端部４４３Ｔは、保持部材６４の後外面６４Ｂ、下外面６４Ｕ及び上外面６４Ｔから露出され、中間の球状重り４４２の下端部４４２Ｕ及び上端部４４２Ｔは、保持部材６４の下外面６４Ｕ及び上外面６４Ｔから露出されている。
【００４３】
さらに、図２６及び図２７に示すように、一体化重り７４は、各球状重り４４の上端部４４１Ｔ，４４２Ｔ，４４３Ｔが保持部材６４の上外面６４Ｔで覆われていてもよい。この図示例では、最前の球状重り４４１の前端部４４１Ｆ、下端部４４１Ｕ、左端部及び右端部は、保持部材６４から露出され、最後の球状重り４４３の後端部４４３Ｂ、下端部４４３Ｕ、左端部及び右端部は、保持部材６４から露出され、中間の球状重り４４２の下端部４４２Ｕ、左端部４４２Ｌ及び右端部４４２Ｒは、保持部材６４から露出されている。
【００４４】
また、図２８及び図２９に示すように、一体化重り７４は、中間の球状重り４４２の周囲全体が保持部材６４で覆われていてもよい。この図示例では、最前の球状重り４４１の前端部４４１Ｆ、下端部４４１Ｕ、上端部４４１Ｔ、左端部４４１Ｌ及び右端部４４１Ｒは、保持部材６４の前外面６４Ｆ、下外面６４Ｕ、上外面６４Ｔ、左外面６４Ｌ及び右外面６４Ｒよりも外側に位置している。また、最後の球状重り４４３の後端部４４３Ｂ、下端部４４３Ｕ、上端部４４３Ｔ、左端部４４３Ｌ及び右端部４４３Ｒは、保持部材６４の後外面６４Ｂ、下外面６４Ｕ、上外面６４Ｔ、左外面６４Ｌ及び右外面６４Ｒよりも外側に位置している。中間の球状重り４４２の下端部４４２Ｕ、上端部４４２Ｔ、左端部４４２Ｌ及び右端部４４２Ｒは、保持部材６４の下外面６４Ｕ、上外面６４Ｔ、左外面６４Ｌ及び右外面６４Ｒよりも内側に位置している。従って、中間の球状重り４４２は、保持部材６４で覆われており、外部に露出していない。この場合、中間の球状重り４４２の直径は、最前の球状重り４４１及び最後の球状重り４４３の直径よりも少し小さい。
このように最前の球状重り４４１及び最後の球状重り４４３の下端部４４１Ｕ，４４３Ｕが露出されて通路３１の下面部３１Ｕに接触していることにより、一体化重り７４は、前後方向に良好に移動する。つまり、このような最前の球状重り４４１及び最後の球状重り４４３を有していれば、中間の球状重り４４２は、一体化重り７４の走行に寄与しないので、中間の球状重り４４２の全体を保持部材６４で覆ってもよい。さらに、中間の球状重り４４２に代えて、例えば、転動しない形状の重り（略立方体状の重りや歪んだ形状の重りなど）を最前の球状重り４４１と最後の球状重り４４３の間に設けてもよい。このような転動しない形状の重りは、その形状の精度が要求されないので、簡易に製造できる。
【００４５】
従って、本発明のルアーは、少なくとも最前の球状重りの下端部及び最後の球状重りの下端部が保持部材から露出され且つ通路の下面部に点接触していることにより、一体化重りは、スムースに前後方向に移動する。
好ましくは、最前の球状重りの下端部が保持部材から露出され且つ最前の球状重りの上端部、左端部及び右端部から選ばれる少なくとも１つの端部が保持部材から露出され、さらに、最後の球状重りの下端部が保持部材から露出され且つ最後の球状重りの上端部、左端部及び右端部から選ばれる少なくとも１つの端部が保持部材から露出される。
より好ましくは、最前の球状重りの下端部及び上端部並びに最後の球状重りの下端部及び上端部が保持部材から露出され、さらに好ましくは、上記第１実施形態のように、最前の球状重りの下端部、上端部、左端部及び右端部並びに最後の球状重りの下端部、上端部、左端部及び右端部が保持部材からされる。なお、中間の球状重りについては、その下端部、上端部、左端部及び右端部から選ばれる少なくとも１つが保持部材から露出される、又は、全ての端部が保持部材に覆われる。
【００４６】
［第５実施形態］
上記各実施形態では、ボディ２１のケース部２１２に開口部２１３が形成され、この開口部２１３から付着部５１の後面部が露出されているが、これに限定されない。例えば、図３０に示すように、付着部５１を覆う仕切り壁２１６がケース部２１２に設けられていてもよい。このような仕切り壁２１６が設けられている場合でも、磁力が仕切り壁２１６を通過するので、最前の球状重り４５１が磁力を介して付着部５１に付着し、一体化重り７５が付着部５１に保持される。なお、仕切り壁２１６は、付着部５１と最前の球状重り４５１との間に磁力が作用する程度の厚みに形成される。
また、上記各実施形態では、最前の球状重りの前端部が保持部材から露出されているが、例えば、図３１に示すように、一体化重り７５１は、最前の球状重り４５１の前端部４５１Ｆが保持部材６５で覆われていてもよい。磁力は保持部材６５を通過するので、最前の球状重り４５１の前端部４５１Ｆが保持部材６５で覆われていても、最前の球状重り４５１が磁力を介して付着部５１に付着し、一体化重り７５が付着部５１に保持される。
さらに、図３１に示すように、一体化重り７５１は、最後の球状重り４５３の後端部４５３Ｂが保持部材６５で覆われていてもよい。この場合、一体化重り７５１が後側に移動した際に、保持部材６５の後外面６５Ｂがクッション部９１に当接することになる。もっとも、保持部材６５が破損し難くなることから、上記各実施形態のように、最後の球状重りの後端部が露出されていることが好ましい。
【００４７】
［第６実施形態］
また、図３２に示すように、保持部材６６の内面６６１に小突起６６２が形成されていてもよい。小突起６６２は、各球状重り４６を支えるように、内側に突設されている。かかる一体化重り７６においては、各球状重り４６と保持部材６６との接触面積が可及的に小さくなり、各球状重り４６が極めて円滑に回転するようになるので好ましい。
【００４８】
［第７実施形態］
上記各実施形態において、保持部材が部分的に揺動可能に構成されていてもよい。
図３３は、揺動可能な保持部材６７１に球状重り４７が保持されている第１例の一体化重り７７１を示し、図３４は、保持部材６７１を分割した状態を示している。
図３３に示すように、保持部材６７１は、前後方向に並べられ且つ互いに揺動するように連結された複数（図示例では、２つ）の分割体６７１１，６７１２から構成されている。この分割体６７１１，６７１２は、それぞれ、その内部に１つの球状重り４７を回転可能に保持している。また、最前の球状重り４７１は、その前端部、左端部、右端部、上端部及び下端部を露出させた状態で、最後の球状重り４７３は、その後端部、左端部、右端部、上端部及び下端部を露出させた状態で、それぞれ分割体６７１１，６７１２に保持されている。分割体６７１１，６７１２は、ヒンジ部６７１３を介して連結されている。分割体６７１１，６７１２は、例えば、合成樹脂成形品によって形成され、前記ヒンジ部６７１３は、その樹脂成形品の薄肉部からなる。このような分割体６７１１，６７１２は、例えば、図３４に示すように、上下分割式の樹脂成形部品ａ，ｂを接合することによって得られる。
この保持部材６７１は、ヒンジ部６７１３において揺動する。つまり、分割体６７１１に対して分割体６７１２が上下方向に揺動し、分割体６７１２に対して分割体６７１１が上下方向に揺動する（揺動を図３３の矢印で示している）。
【００４９】
また、図３３では、ヒンジ部が樹脂成形品の薄肉部で構成されているが、例えば、図３５に示すように、ヒンジ部が凹凸嵌合部で構成されていてもよい。
図３５は、第２例の一体化重り７７２を示し、図３６は、保持部材６７２を分割した状態を示している。
図３５に示すように、保持部材６７２は、前後方向に並べられ且つ互いに揺動するように連結された複数（図示例では、２つ）の分割体６７２１，６７２２から構成されている。この分割体６７２１，６７２２の内部には、上記と同様に、それぞれ球状重り４７が回転可能に保持されている。前側の分割体６７２１には、左右方向に延びる長状突起６７２５が形成され、後側の分割体６７２２には、左右方向に延びる長状凹部６７２６が形成されている。この長状突起６７２５と長状凹部６７２６を嵌合することにより、ヒンジ部６７２３が構成されている。この保持部材６７２も、ヒンジ部６７２３において揺動する。つまり、図３３と同様に、分割体６７２１に対して分割体６７２２が上下方向に揺動し、分割体６７２２に対して分割体６７２１が上下方向に揺動する。
【００５０】
また、図３３及び図３５では、分割体が上下方向に揺動する場合を例示したが、分割体が左右方向に揺動するようにヒンジ部を形成してもよい（図示せず）。
さらに、図３７に示すように、保持部材６７３の分割体６７３１，６７３２が全方向（全方位）に揺動するように構成されていてもよい。
図３７は、第３例の一体化重り７７３を示し、図３８は、保持部材６７３を分割した状態を示している。
図３７に示すように、保持部材６７３は、前後方向に並べられ且つ互いに揺動するように連結された複数（図示例では、２つ）の分割体６７３１，６７３２から構成されている。この分割体６７３１，６７３２の内部には、上記と同様に、それぞれ球状重り４７が回転可能に保持されている。前側の分割６７３１には、端部に肥大部を有し且つ後方に突出された棒状突起６７３５が形成され、後側の分割体６７３２には、内部に前記肥大部を抜け出し不能に保持する凹部６７３６が形成されている。この棒状突起６７３５の肥大部を凹部６７３６に嵌合することにより、全方向に揺動するヒンジ部６７３３が構成されている。この保持部材６７３は、ヒンジ部６７３３において揺動する。つまり、分割体６７３１に対して分割体６７３２が上下方向及び左右方向を含む全方向に揺動し、分割体６７３２に対して分割体６７３１が上下方向及び左右方向を含む全方向に揺動する。
【００５１】
本実施形態のように、揺動する保持部材６７１を有する一体化重り７７１は、直線状に真っ直ぐ延びる通路だけでなく、図３９に示すように、上下に湾曲した通路３９に収容しても、良好に前後方向に移動する。つまり、図３９に示すように、通路３９の湾曲部分で保持部材６７１がヒンジ部６７１３にて適宜曲がるので、一体化重り７７１が支障なく転動する。なお、図３９では、第１例の一体化重り７７１を収容したルアー１７を示しているが、第２例の一体化重り７７２又は第３例の一体化重り７７３を収容した場合についても同様に良好に移動する。特に、全方向に揺動する第３例の一体化重り７７３においては、左右に湾曲した通路に収容しても（図示せず）、良好に前後方向に移動する。
【００５２】
［第８実施形態］
上記第１実施形態などの保持部材６１は、一対の半割成形品などの複数の部品を接着剤などで接合することによって構成されているが、接着剤などで接合する方式に限られない。
例えば、複数の部品を互いに嵌合させる、或いは、係止させるなどのように、複数の部品の構造的な結合によって、保持部材が構成されていてもよい。
例えば、図４０及び図４１は、互いに係止可能な複数の部品からなる保持部材６８を示す。図示例の保持部材６８は、上下一対の成形品６８１，６８２（２つの部品）からなる。１つの成形品６８１（図示例では、下方の成形品）には、爪部６８１ａを有する係止部６８１ｂが設けられており、もう１つの成形品６８２（図示例では、上方の成形品）には、前記爪部６８１ａが嵌合する穴部６８２ａを有する被係止部６８２ｂが設けられている。
図４０に示すように、成形品６８１，６８２の間に複数の球状重り４８（例えば、２つの球状重り４８１，４８３）を介在させ、成形品６８１の爪部６８１ａを成形品６８２の穴部６８２ａに嵌め入れて係止させる。このようにして、上記各実施形態と同様に、保持部材６８とその保持部材６８に保持された複数の球状重り４８とを有する一体化重り７８が得られる。かかる保持部材６８は、接着剤などを用いることなく、複数の部品（例えば、成形品６８１，６８２）の構造的な結合によって得られるので、作製容易である。
【００５３】
［第９実施形態］
上記各実施形態では、付着部５１は通路３１の前側に設けられているが、付着部５１の設置箇所はこれに限られず適宜変更できる。
例えば、図４２に示すように、付着部５１が通路３１の前側であって下面部３１Ｕに設けられていてもよい。この場合、図示例のように、付着部５１の表面が下面部３１Ｕと面一であってもよく、特に図示しないが、付着部５１の表面が下面部３１Ｕよりも突出又は凹んでいてもよい。付着部５１が下面部３１Ｕに設けられている場合、最前の球状重り４１１の下端部４１１Ｕが付着部５１に付着する。
その他、図示しないが、付着部は、通路３１の上面部、左面部、又は右面部に設けられていてもよい。
【００５４】
［第１０実施形態］
上記各実施形態では、全ての球状重りが、磁性材料から形成されているが、少なくとも最前の球状重りが磁性材料から形成されていれば、最前の球状重り以外の球状重りは、その一部又は全部が非磁性材料で形成されていてもよい。
さらに、上記各実施形態では、付着部が磁石から形成され且つ最前の球状重りが磁性材料から形成されているが、付着部が磁性材料から形成され且つ最前の球状重りが磁石から形成されていてもよい（ただし、この場合、保持部材は、非磁性材料で形成される）。この場合でも、磁力を介して、最前の球状重りが付着部に付着する。なお、最前の球状重りが磁石で形成される場合には、最前の球状重り以外の球状重りは、全部が非磁性材料で形成される。
【００５５】
また、上記第１実施形態などで図示したように、保持部材が球状重りを３個以上保持できる場合において、例えば、中間の球状重りを保持部材に入れなくてもよい（つまり、中間の球状重りを省略してよい）。
図４３に示すように、一体化重り７１は、保持部材６１と、保持部材６１に保持された最前の球状重り４１１及び最後の球状重り４１３と、からなり、保持部材６１には、最前の球状重り４１１と最後の球状重り４１３の間に空洞部６１８を有する。このように、最前の球状重り４１１と最後の球状重り４１３の間に空洞部６１８を形成することにより、重心を前後に分散させた一体化重り７１を構成できる。
【００５６】
その他、本発明は、上記様々な実施形態から選ばれる２以上の実施形態を適宜組み合わせてもよく、或いは、上記様々な実施形態から選ばれる１つ又は２つ以上の構成を、それ以外の実施形態に置換してもよい。
【産業上の利用可能性】
【００５７】
本発明のルアーは、ブラックバス、スズキ、シイラ、タコ、烏賊などの各種の釣りに使用できる。
【符号の説明】
【００５８】
１１，１３，１７  ルアー
２１  ボディ
３１  通路
３１Ｕ  通路の下面部
３１Ｔ  通路の上面部
３１Ｌ  通路の左面部
３１Ｒ  通路の右面部
４１，４２，４３，４４，４６，４７，４８  球状重り
４１１，４３１，４４１，４５１，４７１  最も前側に位置する球状重り
４１３，４３３，４４３，４５３，４７３  最も後側に位置する球状重り
４１１Ｆ  前端部
４１１Ｕ，４１３Ｕ  下端部
４１１Ｔ，４１３Ｔ  上端部
４１１Ｌ，４１３Ｌ  左端部
４１１Ｒ，４１３Ｒ  右端部
５１  付着部
６１，６２，６３，６４，６５，６６，６７１，６７２，６７３，６８  保持部材
【図１】
2018003354.tif 000003
【図２】
2018003354.tif 000004
【図３】
2018003354.tif 000005
【図４】
2018003354.tif 000006
【図５】
2018003354.tif 000007
【図６】
2018003354.tif 000008
【図７】
2018003354.tif 000009
【図８】
2018003354.tif 000010
【図９】
2018003354.tif 000011
【図１０】
2018003354.tif 000012
【図１１】
2018003354.tif 000013
【図１２】
2018003354.tif 000014
【図１３】
2018003354.tif 000015
【図１４】
2018003354.tif 000016
【図１５】
2018003354.tif 000017
【図１６】
2018003354.tif 000018
【図１７】
2018003354.tif 000019
【図１８】
2018003354.tif 000020
【図１９】
2018003354.tif 000021
【図２０】
2018003354.tif 000022
【図２１】
2018003354.tif 000023
【図２２】
2018003354.tif 000024
【図２３】
2018003354.tif 000025
【図２４】
2018003354.tif 000026
【図２５】
2018003354.tif 000027
【図２６】
2018003354.tif 000028
【図２７】
2018003354.tif 000029
【図２８】
2018003354.tif 000030
【図２９】
2018003354.tif 000031
【図３０】
2018003354.tif 000032
【図３１】
2018003354.tif 000033
【図３２】
2018003354.tif 000034
【図３３】
2018003354.tif 000035
【図３４】
2018003354.tif 000036
【図３５】
2018003354.tif 000037
【図３６】
2018003354.tif 000038
【図３７】
2018003354.tif 000039
【図３８】
2018003354.tif 000040
【図３９】
2018003354.tif 000041
【図４０】
2018003354.tif 000042
【図４１】
2018003354.tif 000043
【図４２】
2018003354.tif 000044
【図４３】
2018003354.tif 000045
【国際調査報告】
2018003354.tif 000046
2018003354.tif 000047
2018003354.tif 000048
2018003354.tif 000049